(57)【特許請求の範囲】
【請求項１】
吹出口が形成された筐体と、
前記筐体の内部に設けられ、空気中の水分を除去する除湿手段と、
前記除湿手段によって水分が除去された空気を前記吹出口を介して前記筐体の外部へ送る送風手段と、
前記吹出口から空気が送られる方向を決める風向決定手段と、
操作指示を送信する操作手段と、
前記操作手段から受信した操作指示に基づいて風向決定手段を制御する風向制御手段と、
前記吹出口から空気が送られる方向へ可視光を照射する照射手段と、
前記筐体に対して前記吹出口から空気が送られる方向にいる人を検出する人検出手段と、
前記照射手段によって可視光が照射されている時に前記人検出手段によって人が検出されると、前記照射手段に可視光の照射を停止させる照射制御手段と、
前記吹出口から送られた空気が当たる対象物の表面温度を検出する表面温度検出手段と、
前記対象物が人であることを判定するための第１の基準温度範囲および前記対象物が洗濯物の場合に当該洗濯物が乾燥したかを判定するための第２の基準温度範囲が記憶される記憶手段と、
を備え、
前記人検出手段は、前記表面温度検出手段によって検出された表面温度が前記第１の基準温度範囲内であるときに人を検出する除湿機。
【請求項２】
吹出口が形成された筐体と、
前記筐体の内部に設けられ、空気中の水分を除去する除湿手段と、
前記除湿手段によって水分が除去された空気を前記吹出口を介して前記筐体の外部へ送る送風手段と、
前記吹出口から空気が送られる方向を決める風向決定手段と、
操作指示を送信する操作手段と、
前記操作手段から受信した操作指示に基づいて風向決定手段を制御する風向制御手段と、
前記吹出口から空気が送られる方向へ可視光を照射する照射手段と、
前記筐体に対して前記吹出口から空気が送られる方向にいる人を検出する人検出手段と、
前記照射手段によって可視光が照射されている時に前記人検出手段によって人の存在が検出されると、前記照射手段に照射している可視光の光度を低くさせる照射制御手段と、
前記吹出口から送られた空気が当たる対象物の表面温度を検出する表面温度検出手段と、
前記対象物が人であることを判定するための第１の基準温度範囲および前記対象物が洗濯物の場合に当該洗濯物が乾燥したかを判定するための第２の基準温度範囲が記憶される記憶手段と、
を備え、
前記人検出手段は、前記表面温度検出手段によって検出された表面温度が前記第１の基準温度範囲内であるときに人を検出する除湿機。
【請求項３】
前記第２の基準温度範囲の下限値は、前記第１の基準温度範囲の下限値よりも低い温度として設定されることを特徴とする請求項１または請求項２に記載の除湿機。
【請求項４】
前記照射手段は、前記風向決定手段に設けられ、前記風向決定手段と共に動く請求項１から請求項３の何れか１項に記載の除湿機。
【請求項５】
前記風向決定手段は、
前記吹出口から空気が送られる方向を上下方向に変更する第１変更部と、
前記吹出口から空気が送られる方向を左右方向に変更する第２変更部と、
を有し、
前記第２変更部は、前記第１変更部と共に前記第１変更部が動く方向と同じ方向へ動き、
前記照射手段は、前記第２変更部と共に前記第２変更部が動く方向と同じ方向へ動く請求項１から請求項４の何れか１項に記載の除湿機。
【発明の詳細な説明】
【技術分野】
【０００１】
本発明は、除湿機に関するものである。
【背景技術】
【０００２】
特許文献１に、乾燥した空気を送る除湿機の一例として、発光体を有する衣類乾燥機が記載されている。特許文献１において発光体は、乾燥した空気が送り出される方向に向けて光を照射する。これにより使用者は、乾燥した空気が送り出される方向を認識することができる。
【先行技術文献】
【特許文献】
【０００３】
【特許文献１】日本特開２００８−１８８１８８号公報
【発明の概要】
【発明が解決しようとする課題】
【０００４】
上記特許文献１において使用者は、乾燥空気が送られる方向を任意に変更することができない。使用者は、乾燥空気を送る対象物を、乾燥空気が送られる方向に合わせて動かす必要がある。また、上記特許文献１において使用者は、発光体を直視した場合、強い眩しさを感じてしまう。上記特許文献１に記載された除湿機は、使用者にとっての使い勝手が好ましくない。【０００５】
本発明は、上記のような課題を解決するためになされたものである。本発明の目的は、乾燥した空気が送られる方向を使用者へ容易に認識させ、かつ、乾燥した空気が送られる方向を任意の方向へ容易に変更することができるより使い勝手のよい除湿機を得ることである。
【課題を解決するための手段】
【０００６】
本発明に係る除湿機は、吹出口が形成された筐体と、筐体の内部に設けられ、空気中の水分を除去する除湿手段と、除湿手段によって水分が除去された空気を吹出口を介して筐体の外部へ送る送風手段と、吹出口から空気が送られる方向を決める風向決定手段と、操作指示を送信する操作手段と、操作手段から受信した操作指示に基づいて風向決定手段を制御する風向制御手段と、吹出口から空気が送られる方向へ可視光を照射する照射手段と、筐体に対して吹出口から空気が送られる方向にいる人を検出する人検出手段と、照射手段によって可視光が照射されている時に人検出手段によって人が検出されると、照射手段に可視光の照射を停止させる照射制御手段と、吹出口から送られた空気が当たる対象物の表面温度を検出する表面温度検出手段と、対象物が人であることを判定するための第１の基準温度範囲および対象物が洗濯物の場合に当該洗濯物が乾燥したかを判定するための第２の基準温度範囲が記憶される記憶手段と、を備える。人検出手段は、表面温度検出手段によって検出された表面温度が第１の基準温度範囲内であるときに人を検出する。
【０００７】
本発明に係る除湿機は、吹出口が形成された筐体と、筐体の内部に設けられ、空気中の水分を除去する除湿手段と、除湿手段によって水分が除去された空気を吹出口を介して筐体の外部へ送る送風手段と、吹出口から空気が送られる方向を決める風向決定手段と、操作指示を送信する操作手段と、操作手段から受信した操作指示に基づいて風向決定手段を制御する風向制御手段と、吹出口から空気が送られる方向へ可視光を照射する照射手段と、筐体に対して吹出口から空気が送られる方向にいる人を検出する人検出手段と、照射手段によって可視光が照射されている時に人検出手段によって人が検出されると、照射手段に照射している可視光の光度を低くさせる照射制御手段と、吹出口から送られた空気が当たる対象物の表面温度を検出する表面温度検出手段と、対象物が人であることを判定するための第１の基準温度範囲および対象物が洗濯物の場合に当該洗濯物が乾燥したかを判定するための第２の基準温度範囲が記憶される記憶手段と、を備える。人検出手段は、表面温度検出手段によって検出された表面温度が第１の基準温度範囲内であるときに人を検出する。
【発明の効果】
【０００８】
本発明に係る除湿機は、吹出口から空気が送られる方向を決める風向決定手段と、操作指示を送信する操作手段と、操作手段から受信した操作指示に基づいて風向決定手段を制御する風向制御手段と、吹出口から空気が送られる方向へ可視光を照射する照射手段と、を備える。このため、本発明によれば、乾燥した空気が送られる方向を使用者へ容易に認識させ、かつ、乾燥した空気が送られる方向を任意の方向へ容易に変更することができる除湿機を得ることができる。【０００９】
また、本発明に係る除湿機は、照射手段によって可視光が照射されている時に人検出手段によって人が検出されると、照射手段に可視光の照射を停止させる照射制御手段を備える。また、本発明に係る除湿機は、照射手段によって可視光が照射されている時に人検出手段によって人が検出されると、照射手段に照射している可視光の光度を低くさせる照射制御手段を備える。このため、本発明によれば、より使い勝手のよい除湿機を得ることができる。
【図面の簡単な説明】
【００１０】
【図１】実施の形態１の除湿機の斜視図である。
【図２】実施の形態１の除湿機の正面図である。
【図３】実施の形態１の除湿機の側面図である。
【図４】実施の形態１の除湿機の縦断面図である。
【図５】実施の形態１の風向変更部の構成を示す断面図である。
【図６】実施の形態１のセンサ部を正面から見た図である。
【図７】実施の形態１のセンサ部の構造を示す断面図である。
【図８】実施の形態１の制御装置の機能を示すブロック図である。
【図９】実施の形態１の記憶部に記憶される表面温度の基準値の情報を模式的に示す図である。
【図１０】実施の形態１の制御装置の構成の一例を示す図である。
【図１１】実施の形態１の動作時の除湿機を示す図である。
【図１２】実施の形態１の照射部の制御を示すフローチャートである。
【図１３】実施の形態１の除湿機の第１モードの動作を示すフローチャートである。
【図１４】実施の形態１の除湿機の第２モードの動作を示すフローチャートである。
【図１５】実施の形態２の照射部の制御を示すフローチャートである。
【図１６】実施の形態３の除湿機の斜視図である。
【図１７】実施の形態３の制御装置の機能を示すブロック図である。
【図１８】実施の形態３の照射部の制御を示すフローチャートである。
【発明を実施するための形態】
【００１１】
以下、添付の図面を参照して、本発明の実施の形態について説明する。各図における同一の符号は、同一の部分または相当する部分を示す。本開示では、重複する説明については、適宜に簡略化または省略する。なお、本開示は、以下の各実施の形態で説明する構成のうち、組み合わせ可能な構成のあらゆる組み合わせを含み得るものである。
【００１２】
実施の形態１．
図１は、実施の形態１の除湿機の斜視図である。図２は、実施の形態１の除湿機の正面図である。図３は、実施の形態１の除湿機１００の側面図である。図１、図２および図３は、除湿機１００の外観を示す図である。
【００１３】
ここで、図２における紙面上の上下方向を、除湿機１００の上下方向とする。また、図２における紙面の手前方向を、除湿機１００の前方向とする。図２における紙面の奥方向を除湿機１００の後方向とする。図２において、紙面上の左方向が除湿機１００の右方向に、紙面上の右方向が除湿機１００の左方向になる。
【００１４】
また、図３における紙面上の左右方向は、除湿機１００の前後方向となる。図３における紙面上の上下方向は、除湿機１００の上下方向である。図３において、紙面の手前方向が除湿機１００の左方向に、紙面の奥方向が除湿機１００の右方向になる。
【００１５】
また、図４は、実施の形態１の除湿機１００の縦断面図である。図４は、図２におけるＡ−Ａ位置での除湿機１００の断面を示す。図４は、除湿機１００の内部の構造を模式的に示す。図４における紙面上の上下左右方向は、図３における紙面上の上下左右方向に対応する。
【００１６】
除湿機１００は、筐体１を備える。筐体１は、除湿機１００の外殻となる部材である。筐体１は、例えば、自立可能な縦長の箱状に形成されている。除湿機１００は、車輪２を備えてもよい。車輪２は、例えば、筐体１の底に設けられる。この車輪２によって、使用者は、除湿機１００を容易に移動させることができる。
【００１７】
筐体１には、吸込口３および吹出口４が形成される。吸込口３は、筐体１の内部に空気を取り込むための開口である。吸込口３は、例えば、筐体１の後面に形成される。吹出口４は、筐体１の内部から外部に向かって空気を吹き出すための開口である。吹出口４は、例えば、筐体１の前面の上部に形成される。吹出口４の形状は、例えば、筐体１の左右方向に伸びる長方形状である。
【００１８】
筐体１の内部には、風路５が形成される。風路５は、吸込口３から吹出口４へ至る空間である。除湿機１００は、送風手段の一例として、送風ファン６ａおよびファンモータ６を備える。送風ファン６ａは、風路５内に、吸込口３から吹出口４へと向かう気流を発生させるものである。送風ファン６ａには、ファンモータ６が接続される。ファンモータ６は、送風ファン６ａを回転させる装置である。
【００１９】
送風ファン６ａおよびファンモータ６は、筐体１の内部に設けられる。送風ファン６ａは、風路５内に配置される。本実施の形態において風路５内には、送風ファン６ａによって、吸込口３から吹出口４へ向かって空気が流れる。本実施の形態では、送風ファン６ａによって、筐体１の内部から当該筐体１の外部へ空気が送り出される。ここで、風路５において、吸込口３がある側を上流側、吹出口４がある側を下流側とする。すなわち本実施の形態では、送風ファン６ａによって空気が風路５内を上流側から下流側へと向かって流れる。
【００２０】
除湿機１００は、空気中の水分を除去する除湿手段の一例として、除湿部７を備える。除湿部７は、空気中の水分を凝縮して排出する装置である。一例として、除湿部７は、凝縮した水分を、液体の水として下方に滴下する。除湿部７は、空気中の水分の除去、すなわち空気の除湿を行う。除湿部７によって除湿された空気は、乾燥した空気となる。
【００２１】
除湿部７は、例えば、ヒートポンプ回路を利用した装置である。ヒートポンプ回路を利用した除湿部７は、蒸発器によって、空気中の水分を凝縮させる。なお、除湿部７は、例えば、デシカント方式の装置であってもよい。デシカント方式の除湿部７は、空気中の水分を吸着する吸着剤、ヒーターおよび熱交換器を有する。デシカント方式の除湿部７が有する吸着剤に吸着された水分は、ヒーターによって加熱される。このヒーターによって加熱された水分は、熱交換器によって冷却されて凝縮する。
【００２２】
除湿部７は、筐体１の内部に設けられる。除湿部７は、風路５内に配置される。除湿部７は、一例として、吸込口３と送風ファン６ａとの間に配置される。本実施の形態の除湿部７は、送風ファン６ａの上流側に配置される。本実施の形態において、吸込口３、除湿部７、送風ファン６ａおよび吹出口４は、上流側から下流側へ順に配置される。
【００２３】
本実施の形態の除湿機１００は、除湿部７によって排出された水を貯める貯水部８を備える。貯水部８は、例えば、上部が開口した容器状の部材である。貯水部８は、筐体１の内部で、除湿部７の下方に設けられる。貯水部８は、除湿部７から滴下された水を、上部の開口から受けて貯める。この貯水部８は、筐体１に対して着脱可能に設けられる。
【００２４】
また、除湿機１００は、フィルター９を備えてもよい。フィルター９は、筐体１の内部に設けられる。フィルター９は、吸込口３を筐体１の内部から覆うように設けられる。フィルター９は、筐体１の内部への塵および埃の侵入を防止する。
【００２５】
除湿機１００は、風向変更部１０を備える。図５は、実施の形態１の風向変更部１０の構成を示す断面図である。図５は、図３におけるＢ−Ｂ位置での除湿機１００の断面の一部を模式的に示す。図５における紙面上の上下左右方向は、図２における紙面上の上下左右方向に対応する。
【００２６】
風向変更部１０は、吹出口４から空気が送り出される方向を決めるものである。吹出口４から空気が送り出される方向を、以下、送風方向と称する。風向変更部１０が動くことにより、送風方向は変更される。送風方向は、風向変更部１０の状態によって決まる。本実施の形態の風向変更部１０は、風向決定手段の一例である。風向変更部１０は、吹出口４の近傍に配置される。
【００２７】
風向変更部１０は、吹出口４から空気が送られる方向を上下方向に変更する第１変更部の一例として上下方向ルーバー１１を有する。上下方向ルーバー１１は、吹出口４の形状に合わせて形成される。本実施の形態の上下方向ルーバー１１は、左右方向に伸びる長方形状の枠状の部材である。一例として、上下方向ルーバー１１には、図５に示すように、左右方向に伸びる板状の３枚の部材が含まれる。本実施の形態の上下方向ルーバー１１は、左右方向に伸びる長方形状の開口を有する。上下方向ルーバー１１は、この開口の向きが上下に変更されるように、回転可能に形成される。上下方向ルーバー１１は、例えば、左右方向に伸びる軸１１ａを介して筐体１に取り付けられる。上下方向ルーバー１１は、この軸１１ａを中心にして回転可能に形成される。
【００２８】
風向変更部１０は、上下方向ルーバー１１を動かすための第１モータ１２を有する。第１モータ１２は、筐体１の内部に設けられる。第１モータ１２は、歯車１２ａ、歯車１２ｂおよび歯車１２ｃを介して、上下方向ルーバー１１を回転させる。上下方向ルーバー１１が回転すると、当該上下方向ルーバー１１の開口の向きが上下方向に変更される。これにより、送風方向が上下方向に変更される。
【００２９】
また、風向変更部１０は、吹出口４から空気が送られる方向を左右方向に変更する第２変更部の一例として左右方向ルーバー１３を有する。左右方向ルーバー１３は、上下方向に伸びる板状の部材によって形成される。一例として、左右方向ルーバー１３には、上下方向に伸びる板状の部材が６枚含まれる。この上下方向に伸びる６枚の板状の部材は、例えば、等間隔に配置される。
【００３０】
左右方向ルーバー１３は、枠状の上下方向ルーバー１１の内側に配置される。一例として左右方向ルーバー１３は、図示しない上下方向に沿った軸を介し、上下方向ルーバー１１に取り付けられる。左右方向ルーバー１３は、この上下方向に沿った軸を中心にして回転可能である。また、一例として上下方向ルーバー１１および左右方向ルーバー１３は、当該上下方向ルーバー１１の左右方向の中央と当該左右方向ルーバー１３全体の左右方向の中央とが一致するように、配置される。
【００３１】
風向変更部１０は、左右方向ルーバー１３を動かすための第２モータ１４を有する。第２モータ１４は、筐体１の内部に設けられる。また、風向変更部１０は、リンク１５を有する。このリンク１５は、例えば、左右方向ルーバー１３の後部に接続される。リンク１５は、第２モータ１４に接続される。左右方向ルーバー１３と第２モータ１４とは、リンク１５を介して接続される。
【００３２】
第２モータ１４が駆動すると、リンク１５が動く。リンク１５が動くと、左右方向ルーバー１３が当該リンク１５に連動して回転する。一例として左右方向ルーバー１３は、左右方向ルーバー１３を上下方向ルーバー１１に対して取り付けている上下方向に沿った軸を中心にして、回転する。左右方向ルーバー１３が回転することにより、送風方向が左右方向に変更される。
【００３３】
また、リンク１５は、上下方向ルーバー１１と連動するように形成される。リンク１５は、上下方向ルーバー１１が動くと、この上下方向ルーバー１１と共に動く。リンク１５が動くと、このリンク１５に接続された左右方向ルーバー１３も動く。左右方向ルーバー１３は、上下方向ルーバー１１が動くと、この上下方向ルーバー１１に連動するリンク１５と共に動く。このようにして、左右方向ルーバー１３は、上下方向ルーバー１１が動く方向と同じ方向へ動く。
【００３４】
また、除湿機１００は、センサ部１６を備える。本実施の形態においてセンサ部１６は、枠状の上下方向ルーバー１１の内側に配置される。一例としてセンサ部１６は、上下方向ルーバー１１の左右方向の中央の位置に配置される。
【００３５】
図６は、実施の形態１のセンサ部１６を正面から見た図である。図７は、実施の形態１のセンサ部１６の構造を示す断面図である。図７は、図６におけるＣ−Ｃ位置でのセンサ部１６の断面を示す。図６の紙面の手前方向を、センサ部１６の正面方向とする。図６の紙面上の上下方向を、センサ部１６の上下方向とする。図７において、紙面上の右方向はセンサ部１６の正面方向、紙面上の左方向はセンサ部１６の背面方向である。図７の紙面上の上下方向は、センサ部１６の上下方向である。
【００３６】
図６および図７に示すように、センサ部１６は、センサケース１７を有する。センサケース１７は、センサ部１６の外枠となる部材である。一例として、センサケース１７は、筒状に形成される。センサケース１７は、例えば、図示しない上下方向に伸びる軸によって支持される。また、センサケース１７は、例えば、図示しない左右方向に伸びる軸によって支持される。センサケース１７は、これらの軸を中心にして回転可能である。
【００３７】
一例としてセンサケース１７は、上下方向ルーバー１１の左右方向の中央の位置で、リンク１５に接続される。センサケース１７は、リンク１５を介して、左右方向ルーバー１３に接続される。なお、センサケース１７は、リンク１５を介さず、左右方向ルーバー１３に直接設けられてもよい。
【００３８】
センサケース１７は、当該センサケース１７の正面が送風方向を向くように、設けられる。上述したように、センサケース１７は、リンク１５または左右方向ルーバー１３に機械的に接続されている。センサケース１７は、左右方向ルーバー１３に連動する。センサケース１７は、左右方向ルーバー１３が動く方向と同じ方向へ動く。
【００３９】
また、上述したように、左右方向ルーバー１３は、上下方向ルーバー１１と共に動く。センサケース１７は、上下方向ルーバー１１が動くと、この上下方向ルーバー１１に連動する。センサケース１７は、上下方向ルーバー１１が動く方向と同じ方向へ動く。このようにして、センサケース１７の正面は、送風方向が変更された場合においても、変更された後の送風方向を向く。
【００４０】
本実施の形態のセンサケース１７は、センサ窓１７ａを有する。センサ窓１７ａは、図６および図７に示すように、センサケース１７の正面部分に形成される。センサ窓１７ａは、赤外線の透過率が高い材料によって形成される。赤外線の透過率が高い材料は、例えば、シリコンである。ここで、吹出口４から送り出された空気が当たる領域を、以下、送風領域と称することとする。センサ窓１７ａは、この送風領域から放射される赤外線が透過するように、配置および形成される。
【００４１】
センサ部１６は、表面温度検出手段の一例として表面温度検出部１８を有する。表面温度検出部１８は、対象物の表面温度を、非接触の状態で検出する装置である。本実施の形態において表面温度検出部１８は、センサ窓１７ａを透過した赤外線を受けることで、当該赤外線を発した対象物の表面温度を検出する。表面温度検出部１８は、送風領域の表面温度を検出する。すなわち、表面温度検出部１８は、吹出口４から送り出された空気が当たっている対象物の表面温度を検出する。
【００４２】
上記の表面温度検出部１８の構成について、より詳しく説明する。表面温度検出部１８は、センサケース１７の内部に設けられる。表面温度検出部１８は、センサ窓１７ａの背面側に配置される。一例として、表面温度検出部１８には、熱起電力を利用したものが用いられる。熱起電力を利用して表面温度を検出する表面温度検出部１８は、赤外線吸収膜およびサーミスタを有する。
【００４３】
表面温度検出部１８の赤外線吸収膜は、センサ窓１７ａを透過した赤外線を吸収する。赤外線吸収膜は、感熱部分を有する。赤外線吸収膜の感熱部分は、センサ窓１７ａを透過した赤外線を吸収することによって昇温する。赤外線吸収膜の感熱部分は、温接点となる。また、表面温度検出部１８のサーミスタは、赤外線吸収膜の感熱部分ではない部分の温度を検出する。赤外線吸収膜の感熱部分ではない部分は、冷接点となる。表面温度検出部１８は、上記の温接点と冷接点との温度差から、赤外線吸収膜に吸収された赤外線を発した領域の表面温度を検出する。このようにして表面温度検出部１８は、送風領域の表面温度を検出する。
【００４４】
吹出口４から送り出された空気が当たる領域である送風領域は、送風方向と共に変更される。センサケース１７の内部に設けられた表面温度検出部１８は、センサケース１７と共に動く。また、上述したように、センサケース１７は、上下方向ルーバー１１および左右方向ルーバー１３と共に動く。すなわち、表面温度検出部１８は、上下方向ルーバー１１および左右方向ルーバー１３と共に動く。また、センサケース１７の正面部分に形成されたセンサ窓１７ａも、上下方向ルーバー１１および左右方向ルーバー１３と共に動く。これにより、表面温度検出部１８は、送風領域が変更された場合においても、変更された後の送風領域の表面温度を検出することができる。
【００４５】
また、センサ部１６は、可視光を照射する照射手段の一例として、照射部１９を有する。照射部１９は、光源１９ａおよびレンズ１９ｂを有する。レンズ１９ｂは、センサケース１７の正面部分に設けられる。一例として、レンズ１９ｂは、センサ窓１７ａよりも下方に配置される。光源１９ａは、センサケース１７の内部に設けられる。光源１９ａは、レンズ１９ｂの背面側に設けられる。
【００４６】
光源１９ａは、可視光を発するものである。光源１９ａは、例えば、ＬＥＤである。なお、光源１９ａは、レーザーダイオードでもよい。本実施の形態において光源１９ａは、正面方向に可視光を発する。一例として光源１９ａは、１０００ｍｃｄ以上の光度の可視光を発する。また、一例として光源１９ａは、緑色の可視光を発する。なお、光源１９ａが発する可視光の色は、緑色に限られない。光源１９ａが発する可視光の色は、橙色等であってもよい。
【００４７】
レンズ１９ｂは、光源１９ａが発した可視光を集光するためのものである。レンズ１９ｂは、例えば、アクリル樹脂で形成された平凸レンズである。レンズ１９ｂの材質は、例えば、ポリカーボネイト樹脂またはガラスでもよい。また、レンズ１９ｂは、フレネルレンズでもよい。
【００４８】
センサケース１７のうちの光源１９ａとレンズ１９ｂとの間の部分は、一例として、光源１９ａによって発せられる可視光が透過する材料で形成される。なお、センサケース１７のうち、光源１９ａとレンズ１９ｂとの間の部位には、開口が形成されていてもよい。本実施の形態において光源１９ａが正面方向に発した可視光は、レンズ１９ｂへ到達する。
【００４９】
光源１９ａが発した可視光は、レンズ１９ｂを通過することで集光される。レンズ１９ｂによって集光された可視光は、容易に視認可能な状態となる。レンズ１９ｂによって集光された可視光は、センサケース１７および筐体１の外部へ向かって照射される。光源１９ａおよびレンズ１９ｂは、レンズ１９ｂによって集光された可視光がセンサケース１７の正面方向に照射されるように設けられる。
【００５０】
上述したように、センサケース１７の正面は、送風方向を向く。レンズ１９ｂによって集光された可視光は、送風方向へ照射される。また、光源１９ａおよびレンズ１９ｂは、センサケース１７に設けられる。光源１９ａおよびレンズ１９ｂは、センサケース１７と共に動く。上述したように、センサケース１７は、上下方向ルーバー１１および左右方向ルーバー１３と共に動く。すなわち、光源１９ａおよびレンズ１９ｂは、上下方向ルーバー１１および左右方向ルーバー１３と共に動く。このため、レンズ１９ｂによって集光された可視光は、送風方向が変更された場合においても、変更された後の送風方向へ照射される。使用者は、容易に視認可能な状態となった可視光を見ることで、送風方向を確認することができる。
【００５１】
ここで、レンズ１９ｂによって集光された可視光が照射される領域を、照射領域３０とする。換言すると、照射領域３０とは、容易に視認可能な状態となった可視光によって照らされている領域である。
【００５２】
光源１９ａおよびレンズ１９ｂは、照射領域３０の少なくとも一部が送風領域に含まれるように配置および形成される。使用者は、可視光によって照らされている照射領域３０を見ることで、送風領域を確認することができる。また、一例として、光源１９ａおよびレンズ１９ｂは、照射領域３０の全体が送風領域に含まれるように配置および形成されてもよい。一例として、光源１９ａおよびレンズ１９ｂは、筐体１から１ｍ離れた位置での照射領域３０が直径６０ｍｍの円となるように、配置および形成される。なお、照射領域３０の大きさおよび形状は、本実施の形態に限定されない。照射領域３０の形状は、例えば、長方形等であってもよい。
【００５３】
上述したように、本実施の形態の表面温度検出部１８は、送風領域の表面温度を検出する。表面温度検出部１８は、照射領域３０に含まれる対象物の表面温度を検出してもよい。すなわち、表面温度検出部１８は、可視光によって照らされている対象物の表面温度を検出してもよい。例えば、センサ窓１７ａは、照射領域３０から放射される赤外線が透過するように、配置および形成されてもよい。一例として表面温度検出部１８は、照射領域３０全域の表面温度を検出する。
【００５４】
また、本実施の形態の除湿機１００は、制御装置２０および操作部２１を備える。制御装置２０は、除湿機１００に備えられる各機器に接続される。制御装置２０は、除湿機１００に備えられる各機器を制御するものである。制御装置２０は、例えば、筐体１の内部に設けられる。
【００５５】
操作部２１は、使用者が除湿機１００を操作するためのものである。操作部２１は、例えば、筐体１の上面の後面側に設けられる。一例として操作部２１は、運転ボタン２１ａ、モード選択ボタン２１ｂ、設定ボタン２１ｃおよび操作キー２１ｄを有する。
【００５６】
運転ボタン２１ａは、除湿機１００の運転を開始および停止させるためのものである。モード選択ボタン２１ｂは、除湿機１００の運転モードを選択するためのものである。制御装置２０と操作部２１とは、電気的に接続される。操作部２１の運転ボタン２１ａおよびモード選択ボタン２１ｂは、使用者からの操作に応じた信号を、制御装置２０へ送信する。また、設定ボタン２１ｃは、除湿機１００の設定を行うためのものである。設定ボタン２１ｃは、使用者からの操作に応じた信号を、制御装置２０へ送信する。
【００５７】
操作キー２１ｄは、操作指示を送信する操作手段の一例である。操作キー２１ｄは、風向変更部１０を動かすためのものである。操作キー２１ｄは、例えば、十字キーである。操作キー２１ｄは、使用者からの操作に応じた信号を、制御装置２０へ送信する。以下、操作キー２１ｄが制御装置２０へ送信する信号を、操作指示とも称する。制御装置２０は、操作指示を受信すると、受信した操作指示に基づいて動作する。なお、操作キー２１ｄは、十字キー以外のものでもよい。
【００５８】
図８は、実施の形態１の制御装置２０の機能を示すブロック図である。上述したように、制御装置２０は、操作部２１に電気的に接続される。また、本実施の形態の制御装置２０は、図８に示すように、ファンモータ６、除湿部７、第１モータ１２、第２モータ１４および照射部１９に電気的に接続される。操作部２１は、使用者からの操作に応じた信号を、制御装置２０へ送信する。制御装置２０は、操作部２１から信号を受信すると、受信した信号に基づいて、ファンモータ６、除湿部７、第１モータ１２、第２モータ１４および照射部１９を制御する。
【００５９】
また、制御装置２０は、図８に示すように、表面温度検出部１８に電気的に接続される。表面温度検出部１８は、検出した表面温度の情報を、電圧等の電気信号に変換する。表面温度検出部１８は、変換した電気信号を、制御装置２０へ送信する。制御装置２０は、表面温度検出部１８からの電気信号に基づいて、ファンモータ６、除湿部７、第１モータ１２、第２モータ１４および照射部１９を制御する。
【００６０】
図８に示すように、本実施の形態の制御装置２０は、動作制御部２０ａ、記憶部２０ｂ、温度判定部２０ｃ、設定部２０ｄおよび照射制御部２０ｅを有する。
【００６１】
動作制御部２０ａは、操作キー２１ｄからの操作指示に基づいて、第１モータ１２および第２モータ１４を制御する。上述したように、第１モータ１２および第２モータ１４が動くと、送風方向が変更される。本実施の形態の動作制御部２０ａは、吹出口４から空気が送り出される方向を制御するための風向制御手段の一例である。
【００６２】
記憶部２０ｂは、記憶手段の一例である。記憶部２０ｂには、例えば、予め複数の運転モードが設定されている。例えば、動作制御部２０ａは、モード選択ボタン２１ｂからの信号に基づいて、記憶部２０ｂに設定された複数の運転モードの中から１つの運転モードの処理を実行する。動作制御部２０ａは、モード選択ボタン２１ｂからの信号に基づいて、ファンモータ６、除湿部７、第１モータ１２、第２モータ１４および照射部１９を制御する。
【００６３】
一例として、記憶部２０ｂに設定されている複数の運転モードには、第１モードが含まれる。第１モードは、乾燥した空気を狭い範囲に集中的に供給する運転モードである。第１モードが選択された状態で除湿機１００が動作すると、風向変更部１０はスイングせずに固定される。これにより、例えば、少量の靴または少量の衣服３１等の対象物に対して集中的に乾燥した空気が当てられる。
【００６４】
また、記憶部２０ｂに設定されている複数の運転モードには、一例として、第２モードが含まれる。第２モードは、結露の発生を抑制するためのモードである。第２モードが選択された状態で除湿機１００が動作すると、表面温度検出部１８によって室内の低温の場所が検出され、この低温の場所に向けて乾燥した空気が送られる。これにより、室内の低温の場所の温度が上昇して乾燥する。このようにして、結露の発生が抑制される。
【００６５】
温度判定部２０ｃは、表面温度検出部１８から送信された電気信号に基づいて判定を行う。温度判定部２０ｃは、各種の判定を行う判定手段の一例である。本実施の形態において記憶部２０ｂには、表面温度の基準値の情報が記憶される。温度判定部２０ｃは、表面温度検出部１８からの電気信号に含まれる温度情報と記憶部２０ｂに記憶された基準値の情報とに基づいて、表面温度の判定を行う。
【００６６】
記憶部２０ｂには、表面温度の基準値の情報がテーブルとして記憶されている。図９は、実施の形態１の記憶部２０ｂに記憶される表面温度の基準値の情報を模式的に示す図である。記憶部２０ｂには、表面温度の基準値の一例である第１温度Ｔｈ１および第２温度Ｔｈ２の情報が記憶される。
【００６７】
第１温度Ｔｈ１および第２温度Ｔｈ２は、筐体１に対して送風方向に人がいるか否かを判定するための基準値である。第１温度Ｔｈ１および第２温度Ｔｈ２は、人の体温または肌の表面温度に基づいて設定される。第１温度Ｔｈ１は、例えば、３５℃である。第２温度Ｔｈ２は、例えば３７℃である。なお、第１温度Ｔｈ１および第２温度Ｔｈ２は、人の着ている衣類等を考慮して、人の体温よりも低い温度として設定されてもよい。
【００６８】
ここで、下限値である第１温度Ｔｈ１から上限値である第２温度Ｔｈ２までの温度範囲を、第１基準Ｔｒ１とする。本実施の形態において温度判定部２０ｃは、表面温度検出部１８によって検出された表面温度が第１基準Ｔｒ１内であるか判定する。この判定は、筐体１に対して送風方向に人がいるか否かの判定である。本実施の形態の除湿機１００は、表面温度検出部１８によって検出された表面温度が第１基準Ｔｒ１内である場合には、可視光の照射を停止する。第１基準Ｔｒ１は、人の有無を判定するための基準温度範囲の一例である。
【００６９】
また、記憶部２０ｂには、表面温度の基準値の一例である第３温度Ｔｈ３の情報が記憶されてもよい。第３温度Ｔｈ３は、洗濯物等の対象物が乾燥したかどうかを判定するための温度として設定される。水分を含んだ洗濯物等の対象物の温度は、周囲の気温よりも低くなる。一例として、乾燥が完了した対象物の温度は、周囲の気温以上になる。第３温度Ｔｈ３は、一例として、気温に基づいて設定される。第３温度Ｔｈ３は、例えば、２０℃である。ここで、第３温度Ｔｈ３を下限値とする温度範囲を、第２基準Ｔｒ２とする。図９に示すように、第１基準Ｔｒ１と第２基準Ｔｒ２とは、重複していてもよい。一例として、温度判定部２０ｃは、表面温度検出部１８によって検出された表面温度が第２基準Ｔｒ２内であるか判定する。この判定は、対象物の乾燥が完了したか否かの判定である。
【００７０】
設定部２０ｄは、設定ボタン２１ｃからの信号に応じて、記憶部２０ｂに設定方向を設定する。設定ボタン２１ｃは、照射部１９によって可視光が照射されている時に押されると、設定部２０ｄへ信号を送信する。設定部２０ｄは、設定ボタン２１ｃから信号を受信すると、その時点で照射部１９によって可視光が照射されている方向を、設定方向として記憶部２０ｂに設定する。本実施の形態における設定ボタン２１ｃおよび設定部２０ｄは、設定方向を設定するための設定手段の一例である。
【００７１】
照射制御部２０ｅは、照射部１９を制御する。本実施の形態において、照射制御部２０ｅは、照射部１９の光源１９ａを制御する。照射制御部２０ｅは、照射制御手段の一例である。照射制御部２０ｅは、温度判定部２０ｃの判定結果に基づいて光源１９ａを制御する。
【００７２】
図１０は、実施の形態１の制御装置２０の構成の一例を示す図である。本実施の形態における制御装置２０の動作制御部２０ａ、記憶部２０ｂ、温度判定部２０ｃ、設定部２０ｄおよび照射制御部２０ｅの各機能は、例えば、処理回路により実現される。処理回路は、専用ハードウェア２００であってもよい。処理回路は、プロセッサ２０１およびメモリ２０２を備えていてもよい。処理回路の一部が専用ハードウェア２００として形成され、且つ、当該処理回路は更にプロセッサ２０１およびメモリ２０２を備えていてもよい。図１０に示す例において、処理回路の一部は専用ハードウェア２００として形成されている。また、図１０に示す例において、処理回路は、専用ハードウェア２００に加えてプロセッサ２０１およびメモリ２０２を更に備えている。
【００７３】
一部が少なくとも１つの専用ハードウェア２００である処理回路には、例えば、単一回路、複合回路、プログラム化したプロセッサ、並列プログラム化したプロセッサ、ＡＳＩＣ、ＦＰＧＡ、またはこれらを組み合わせたものが該当する。
【００７４】
処理回路が少なくとも１つのプロセッサ２０１および少なくとも１つのメモリ２０２を備える場合、制御装置２０の動作制御部２０ａ、記憶部２０ｂ、温度判定部２０ｃ、設定部２０ｄおよび照射制御部２０ｅの各機能は、ソフトウェア、ファームウェア、またはソフトウェアとファームウェアとの組み合わせにより実現される。
【００７５】
ソフトウェアおよびファームウェアはプログラムとして記述され、メモリ２０２に格納される。プロセッサ２０１は、メモリ２０２に記憶されたプログラムを読み出して実行することにより、各部の機能を実現する。プロセッサ２０１は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータあるいはＤＳＰともいう。メモリ２０２には、例えば、ＲＡＭ、ＲＯＭ、フラッシュメモリー、ＥＰＲＯＭおよびＥＥＰＲＯＭ等の不揮発性または揮発性の半導体メモリ、または磁気ディスク、フレキシブルディスク、光ディスク、コンパクトディスク、ミニディスクおよびＤＶＤ等が該当する。
【００７６】
このように、処理回路は、ハードウェア、ソフトウェア、ファームウェア、またはこれらの組み合わせによって、制御装置２０の動作制御部２０ａ、記憶部２０ｂ、温度判定部２０ｃ、設定部２０ｄおよび照射制御部２０ｅの各機能を実現することができる。なお、除湿機１００の構成は、単一の制御装置２０により動作が制御される構成に限定されるものではない。除湿機１００は、複数の装置が連携することにより動作が制御されるように構成されてもよい。
【００７７】
次に、本実施の形態の除湿機１００の動作について説明する。図１１は、実施の形態１の動作時の除湿機１００を示す図である。図１２は、実施の形態１の照射部１９の制御を示すフローチャートである。図１２のフローチャートを参照して、表面温度検出部１８によって検出される表面温度に基づく照射部１９の制御を説明する。
【００７８】
除湿機１００は、例えば、リビング等の室内で使用される。除湿機１００は、使用者によって運転ボタン２１ａが押されることによって、運転を開始する。使用者によって押された運転ボタン２１ａは、動作制御部２０ａへ信号を送信する。動作制御部２０ａは、運転ボタン２１ａから信号を受信すると、ファンモータ６および除湿部７を駆動させる。
【００７９】
ファンモータ６が駆動すると、送風ファン６ａが回転する。送風ファン６ａは、気流を発生させる。送風ファン６ａによって、図４に示すように、室内空気Ｐが吸込口３から筐体１の内部へ取り込まれる。室内空気Ｐは、除湿部７によって除湿されて、乾燥空気Ｑとなる。乾燥空気Ｑは、送風ファン６ａによって、吹出口４から室内へ送り出される。上記のようにして、除湿機１００は運転を開始する（ステップＳ１０１）。
【００８０】
動作制御部２０ａは、ファンモータ６および除湿部７を駆動させると、照射部１９の光源１９ａに可視光を発させる。光源１９ａが発した可視光は、レンズ１９ｂによって集光される。レンズ１９ｂによって集光された可視光は、乾燥空気Ｑの送風方向へ照射される（ステップＳ１０２）。なお、上記のステップＳ１０１の処理とステップＳ１０２の処理とは、同時または逆の順序で実行されてもよい。
【００８１】
乾燥空気Ｑの送風方向は、風向変更部１０の状態によって決まる。照射部１９は、この送風方向へ向けて可視光を照射する。図１１に示すように、乾燥空気Ｑの送風方向へ照射された可視光は、照射領域３０を照らす。使用者は、照射領域３０を見ながら操作キー２１ｄを操作する。操作キー２１ｄは、使用者からの操作に基づいた操作指示を、動作制御部２０ａへ送信する。
【００８２】
動作制御部２０ａは、受信した操作指示に基づいて、第１モータ１２および第２モータ１４を制御する。これにより、上下方向ルーバー１１および左右方向ルーバー１３が動く。上下方向ルーバー１１および左右方向ルーバー１３が動くことにより、送風方向が変更される。また、上下方向ルーバー１１および左右方向ルーバー１３が動くと、センサ部１６も共に動く。センサ部１６のセンサケース１７に設けられた照射部１９も共に動く。照射部１９は、変更された送風方向へ可視光を照射するように動く。照射領域３０は、送風方向の変更に合わせて動く（ステップＳ１０３）。
【００８３】
本実施の形態の除湿機１００の使用者は、可視光によって照らされた照射領域３０を見ることで、乾燥空気Ｑが当たる送風領域を視認することができる。使用者は、照射領域３０を見ながら、例えば図１１に示すように、予め設置しておいた衣服３１が可視光で照らされるように操作キー２１ｄを操作する。これにより、衣服３１に乾燥空気Ｑが集中的に当たる。本実施の形態の除湿機１００の使用者は、照射領域３０を見ることによって、乾燥空気Ｑの送風方向を容易に認識することができる。
【００８４】
使用者は、操作キー２１ｄによって乾燥空気Ｑの送風方向を任意の方向へ容易に変更することができる。使用者は、乾かしたい衣服３１に向けて照射領域３０を動かすことによって、当該衣服３１に乾燥空気Ｑを集中的に当てることができる。使用者は、除湿機１００の位置に合わせて予め干しておいた衣服３１を動かすことなく、当該衣服３１を乾燥空気Ｑによって乾燥させることができる。本実施の形態によれば、乾燥空気Ｑの送風方向をより容易に認識することができ、かつ乾燥空気Ｑの送風方向を任意の方向へより容易に変更することができる除湿機１００が得られる。
【００８５】
また、本実施の形態の表面温度検出部１８は、除湿機１００が運転している際、送風領域の表面温度を検出する。表面温度検出部１８は、検出した表面温度の情報が含まれる電気信号を制御装置２０へ送る。制御装置２０の温度判定部２０ｃは、表面温度検出部１８からの電気信号に含まれる温度情報と記憶部２０ｂに記憶された基準値の情報とに基づいて、表面温度の判定を行う。上述したように、本実施の形態の温度判定部２０ｃは、表面温度検出部１８によって検出された表面温度が第１基準Ｔｒ１内であるか判定する。この判定は、筐体１に対して送風方向に人がいるか否かの判定である（ステップＳ１０４）。
【００８６】
例えば、筐体１に対して送風方向に人がいない場合、表面温度検出部１８によって検出される表面温度は、第１基準Ｔｒ１外になる。表面温度検出部１８によって検出された表面温度が第１基準Ｔｒ１外であると温度判定部２０ｃによって判定されると、ステップＳ１０２以降の処理が、再び実行される。表面温度検出部１８によって検出された表面温度が第１基準Ｔｒ１外であると温度判定部２０ｃによって判定すると、照射制御部２０ｅは光源１９ａに発光を継続させる。これにより、照射部１９による可視光の照射が継続する。
【００８７】
また、例えば、筐体１に対して送風方向に人がいる場合、表面温度検出部１８によって検出される表面温度は、第１基準Ｔｒ１内になる。表面温度検出部１８によって検出された表面温度が第１基準Ｔｒ１内であると温度判定部２０ｃによって判定されると、照射制御部２０ｅは光源１９ａに発光を止めさせる。これにより、照射部１９による可視光の照射が停止する（ステップＳ１０５）。
【００８８】
ステップＳ１０５で照射部１９による可視光の照射が停止すると、再びステップＳ１０４の判定が行われる。照射部１９からの可視光の照射が停止している状態で表面温度検出部１８によって検出される表面温度が第１基準Ｔｒ１外になると、照射制御部２０ｅは光源１９ａに発光を再開させる。これにより、照射部１９による可視光の照射が再開する。照射部１９による可視光の照射が再開した後に再びステップＳ１０４の判定が行われる。照射部１９による可視光の照射が再開している状態で表面温度検出部１８によって検出される表面温度が第１基準Ｔｒ１内になると、ステップＳ１０５の処理が再び実行され、照射部１９による可視光の照射が停止する。
【００８９】
次に、本実施の形態の除湿機１００の第１モードの動作について説明する。図１３は、実施の形態１の除湿機１００の第１モードの動作を示すフローチャートである。図１３のステップＳ２０１は、図１２のステップＳ１０１に対応する。除湿機１００は、使用者によって運転ボタン２１ａが操作されることで、運転を開始する（ステップＳ２０１）。
【００９０】
使用者は、運転ボタン２１ａによって除湿機１００の運転を開始させた後、モード選択ボタン２１ｂを操作してもよい。使用者は、モード選択ボタン２１ｂを操作して、運転モードを選択する（ステップＳ２０２）。
【００９１】
以下、使用者が第１モードを選択したことを前提に、この第１モードでの除湿機１００の動作を説明する。動作制御部２０ａは、モード選択ボタン２１ｂからの信号に基づいて、記憶部２０ｂに設定された第１モードの処理を実行する。動作制御部２０ａは、照射部１９に可視光を照射させる（ステップＳ２０３）。このステップＳ２０３は、図１２のステップＳ１０２に対応する。
【００９２】
図１３に示す例において照射部１９は、第１モードの処理が実行されると可視光を照射する。なお、照射部１９は、除湿機１００の運転が開始すると同時に可視光の照射を開始してもよい。また、照射部１９は、設定ボタン２１ｃが押されたと同時、または、設定ボタン２１ｃが押されてから一定時間経過後に、可視光の照射を開始してもよい。
【００９３】
使用者は、操作キー２１ｄを操作して、送風方向および照射領域３０を変更させる（ステップＳ２０４）。このステップＳ２０４は、図１２のステップＳ１０３に対応する。ここで、第１モードを選択した使用者は、例えば衣服３１が可視光によって照らされている状態で設定ボタン２１ｃを押す。使用者によって押された設定ボタン２１ｃは、設定部２０ｄへ信号を送信する。設定部２０ｄは、設定ボタン２１ｃから信号を受信すると、照射部１９によって可視光が照射されている方向を設定方向として記憶部２０ｂに設定する。設定方向が記憶部２０ｂに設定されると、動作制御部２０ａは、送風方向がこの設定方向へ固定されるように第１モータ１２および第２モータ１４を制御する（ステップＳ２０５）。
【００９４】
送風方向が設定方向へ固定されると、乾燥空気Ｑは、設定方向へ吹き出され続ける。表面温度検出部１８は、乾燥空気Ｑが当たっている衣服３１の表面温度を検出する。表面温度検出部１８は、検出した表面温度の情報が含まれる電気信号を制御装置２０へ送る。制御装置２０の温度判定部２０ｃは、表面温度検出部１８からの電気信号に含まれる温度情報と記憶部２０ｂに記憶された基準値の情報とに基づいて、表面温度の判定を行う。温度判定部２０ｃは、表面温度検出部１８によって検出された表面温度が第２基準Ｔｒ２内であるか判定する。この判定は、対象物の乾燥が完了したか否かの判定である（ステップＳ２０６）。
【００９５】
上述したように、送風方向が設定方向へ固定されると、乾燥空気Ｑは、設定方向へ吹き出され続ける。温度判定部２０ｃは、乾燥空気Ｑが当たっている衣服３１の表面温度が第２基準Ｔｒ２内になるまで、ステップＳ２０６の判定を継続する。乾燥空気Ｑは、衣服３１の表面温度が第２基準Ｔｒ２内になるまで衣服３１に当たり続ける。表面温度検出部１８によって検出された表面温度が第２基準Ｔｒ２内になると、動作制御部２０ａは、ファンモータ６、除湿部７および照射部１９を停止させる。これにより、除湿機１００の運転が終了する（ステップ２０７）。
【００９６】
図１３のフローチャートに示す処理は、図１２のフローチャートに示す処理と並行して実施される。第１モードが選択されている場合においても、照射部１９は、表面温度検出部１８によって検出される表面温度が第１基準Ｔｒ１内であるときには、可視光の照射を停止する。
【００９７】
本実施の形態の除湿機１００の使用者は、設定ボタン２１ｃを操作することにより、任意の方向に乾燥空気Ｑを集中的に送ることができる。乾燥空気Ｑは、特定の衣服３１へ向かって無駄なく確実に送られる。これにより、乾燥させる必要のない物への送風による無駄な電気代が削減される。また、本実施の形態の除湿機１００は、対象物の乾燥が完了すると、自動的に運転を終了する。これにより、無駄な電気代がより削減される。
【００９８】
なお、上記のステップＳ２０６において表面温度検出部１８によって検出された表面温度が第２基準Ｔｒ２内になった場合には、ステップＳ２０２の処理が再び行われてもよい。また、ステップＳ２０６の判定は行われなくてもよい。例えば、除湿機１００は、ステップＳ２０５の処理が行われた一定時間経過後に運転を終了してもよい。
【００９９】
次に、本実施の形態の除湿機１００の第２モードの動作について説明する。図１３は、実施の形態１の除湿機１００の第２モードの動作を示すフローチャートである。図１４のステップＳ３０１は、図１３のステップＳ２０１に対応する。図１４のステップＳ３０２は、図１３のステップＳ２０２に対応する。ステップＳ３０１およびステップＳ３０２の説明を省略する。
【０１００】
以下、ステップＳ３０２において使用者が第２モードを選択したことを前提に、この第２モードでの除湿機１００の動作を説明する。動作制御部２０ａは、モード選択ボタン２１ｂからの信号に基づいて、記憶部２０ｂに設定された第２モードの処理を実行する。動作制御部２０ａは、照射部１９に可視光を照射させる（ステップ３０３）。このステップＳ３０３は、図１３のステップＳ２０３に対応する。使用者は、操作キー２１ｄを操作して、送風方向および照射領域３０を変更させる（ステップＳ３０４）。このステップＳ３０４は、図１３のステップＳ２０４に対応する。
【０１０１】
第２モードの処理が実行されている際、表面温度検出部１８は、送風領域に限らず、当該表面温度検出部１８が検知することが可能な範囲の表面温度を検出する。動作制御部２０ａは、表面温度検出部１８が検出した表面温度に基づいて、室内のうちの低温の場所に乾燥空気Ｑが当たるように第１モータ１２および第２モータ１４を制御する（ステップＳ３０５）。低温の場所とは、例えば、表面温度が予め設定された閾値以下の場所である。この閾値は、記憶部２０ｂに設定される。
【０１０２】
表面温度検出部１８は、乾燥空気Ｑが当たっている低温の場所の表面温度を検出する。表面温度検出部１８は、検出した表面温度の情報が含まれる電気信号を制御装置２０へ送る。制御装置２０の温度判定部２０ｃは、表面温度検出部１８からの電気信号に含まれる温度情報と記憶部２０ｂに記憶された基準値の情報とに基づいて、表面温度の判定を行う。温度判定部２０ｃは、表面温度検出部１８によって検出された表面温度が第２基準Ｔｒ２内であるか判定する。この判定は、乾燥空気Ｑが当たっている低温の場所の温度が、周囲と同程度になったかの判定である（ステップＳ３０６）。
【０１０３】
温度判定部２０ｃは、乾燥空気Ｑが当たっている場所の表面温度が第２基準Ｔｒ２内になるまで、ステップＳ３０６の判定を継続する。表面温度検出部１８によって検出された表面温度が第２基準Ｔｒ２内になると、動作制御部２０ａは、ファンモータ６、除湿部７および照射部１９を停止させる。これにより、除湿機１００の運転が終了する（ステップ３０７）。これにより、室内の低温であった部分がなくなり、結露の発生が抑制される。
【０１０４】
なお、上記のステップＳ３０７において表面温度検出部１８によって検出された表面温度が第２基準Ｔｒ２内になった場合には、ステップＳ３０５の処理が再び行われてもよい。第２モードが選択された場合において除湿機１００は、室内の複数の低温の場所の全てがなくなるように動作してもよい。
【０１０５】
図１４のフローチャートに示す処理は、図１２のフローチャートに示す処理と並行して実施される。第２モードが選択されている場合においても、照射部１９は、表面温度検出部１８によって検出される表面温度が第１基準Ｔｒ１内であるときには、可視光の照射を停止する。
【０１０６】
上記の実施の形態の除湿機１００は、筐体１に対して送風方向に人がいる場合、可視光の照射を停止する。これにより、照射部１９から照射された可視光が使用者の目に直接入ることがない。上記の実施の形態によれば、使用者にとってより使い勝手のよい除湿機１００を得ることができる。
【０１０７】
なお、上記の実施の形態における表面温度検出部１８および温度判定部２０ｃは、人を検出する人検出手段の一例である。除湿機１００は、人検出手段として、例えば、焦電素子を用いたセンサを備えていてもよい。また、除湿機１００は、人検出手段として、超音波によって人を検出するセンサまたは可視光によって人を検出するセンサを備えていてもよい。除湿機１００は、人を検出する複数種類のセンサを備えていてもよい。また、除湿機１００は、人を検出する特定の種類のセンサを複数備えていてもよい。人検出手段は、複数のセンサによって構成されることで、例えば気温等の環境の影響を受けること無く高精度で人を検出することができる。また、人を検出する複数のセンサの少なくとも１つは、例えば、筐体１の右側面に設けられてもよい。また、人を検出する複数のセンサの少なくとも１つは、例えば、筐体１の左側面に設けられてもよい。人を検出する複数のセンサが分散して配置されることで、当該複数のセンサによって人の存在を検知することができる範囲がより広くなる。
【０１０８】
上記の実施の形態において、人の存在の有無は、表面温度検出部１８が検出する表面温度に基づいて判定される。これにより、精度良く人の存在の有無が判定される。また、人を検出するためのこの表面温度検出部１８により、衣服３１等の対象物の乾燥が完了したかが判定可能になる。上記の実施の形態であれば、無駄な構成部品を追加することなく、より使い勝手のよい除湿機１００が得られる。また、上記の実施の形態において、人の存在の有無は、基準温度範囲の一例である第１基準Ｔｒ１に基づいて判定される。これにより、より精度良く人の存在の有無が判定される。
【０１０９】
なお、記憶部２０ｂには、例えば、第２温度Ｔｈ２の情報が設定されていなくてもよい。第１基準Ｔｒ１の上限値は、設定されていなくてもよい。温度判定部２０ｃは、例えば、表面温度検出部１８によって検出された表面温度が第１温度Ｔｈ１以上であるかの判定をしてもよい。この判定は、筐体１に対して送風方向に人がいるか否かの判定である。例えば、筐体１に対して送風方向に人がいない場合、表面温度検出部１８によって検出された表面温度は第１温度Ｔｈ１未満になる。また、例えば、筐体１に対して送風方向に人がいる場合、表面温度検出部１８によって検出された表面温度は第１温度Ｔｈ１以上になる。このように、記憶部２０ｂには、第１温度Ｔｈ１と第２温度Ｔｈ２とのうちの一方の情報が設定されていなくてもよい。
【０１１０】
また、第１温度Ｔｈ１、第２温度Ｔｈ２および第３温度Ｔｈ３等の基準値は、固定値として設定されなくてもよい。第１温度Ｔｈ１、第２温度Ｔｈ２および第３温度Ｔｈ３等の基準値は、例えば、室内の気温等に基づいて制御装置２０によって算出されてもよい。除湿機１００は、室内気温を測定するためのセンサ等を備えていてもよい。室内の気温は、表面温度検出部１８によって測定されてもよい。
【０１１１】
上記の実施の形態において照射部１９は、表面温度検出部１８と一緒にセンサケース１７に設けられている。照射部１９は、表面温度検出部１８から離れた場所に設けられていてもよい。また、除湿機１００は、照射部１９と風向変更部１０とが独立して動作可能な構成であってもよい。除湿機１００は、風向変更部１０を動かすための第１モータ１２および第２モータ１４に加えて、照射部１９を風向変更部１０に対して独立して動かすための部品を備えていてもよい。また、制御装置２０は、風向変更部１０の動きに合わせて、この風向変更部１０から離れた位置に設けられた照射部１９を動かしてもよい。
【０１１２】
風向決定手段の一例である風向変更部１０は、上下方向ルーバー１１および左右方向ルーバー１３を有していなくてもよい。風向変更部１０は、上記の実施の形態以外にも、例えば上下左右方向へ動くことができるノズル状の構造であってもよい。
【０１１３】
上記の実施の形態において、操作部２１の操作キー２１ｄは、筐体１に設けられる。使用者は、筐体１上の操作キー２１ｄを操作するという容易な動作によって、乾燥空気Ｑの送風方向を変更することができる。なお、除湿機１００は、操作部２１の代わりに、操作キー２１ｄを有するリモートコントローラーを備えていてもよい。これにより使用者は、筐体１から離れた位置で、除湿機１００を操作できる。また、除湿機１００は、操作部２１とリモートコントローラーとの両方を備えていてもよい。
【０１１４】
上記の実施の形態においては衣服３１を乾燥させる動作を一例として示したが、乾燥空気Ｑが吹き出される対象は衣服３１に限られない。除湿機１００は、浴室の壁および床等の、屋内の濡れた場所を乾燥する際にも使用できる。
【０１１５】
実施の形態２．
次に、実施の形態２について説明する。実施の形態２の除湿機１００の構成は、実施の形態１と同様に、図１から図１０によって示される。実施の形態１と同様の構成および動作については、説明を省略する。
【０１１６】
図１５は、実施の形態２の照射部１９の制御を示すフローチャートである。図１５のフローチャートにおけるステップＳ４０１からステップＳ４０４は、実施の形態１の図１２のフローチャートにおけるステップＳ１０１からステップＳ１０４と同様である。ステップＳ４０１からステップＳ４０４までの説明を、省略する。
【０１１７】
ステップＳ４０４では、実施の形態１のステップＳ１０４と同様に、筐体１に対して送風方向に人がいるか否かの判定が行われる。温度判定部２０ｃは、ステップＳ４０４で、表面温度検出部１８によって検出された表面温度が第１基準Ｔｒ１内であるか判定する。
【０１１８】
例えば、筐体１に対して送風方向に人がいない場合、表面温度検出部１８によって検出される表面温度は、第１基準Ｔｒ１外になる。表面温度検出部１８によって検出された表面温度が第１基準Ｔｒ１外であると温度判定部２０ｃによって判定されると、ステップ４０２以降の処理が、再び実行される。表面温度検出部１８によって検出された表面温度が第１基準Ｔｒ１外であると温度判定部２０ｃによって判定すると、照射制御部２０ｅは光源１９ａに発光を継続させる。これにより、照射部１９による可視光の照射が継続する。
【０１１９】
また、例えば、筐体１に対して送風方向に人がいる場合、表面温度検出部１８によって検出される表面温度は、第１基準Ｔｒ１内になる。表面温度検出部１８によって検出された表面温度が第１基準Ｔｒ１内であると温度判定部２０ｃによって判定されると、照射制御部２０ｅは光源１９ａに、発している可視光の光度を低くさせる。これにより、照射部１９によって照射される可視光の光度が低下する（ステップＳ４０５）。本実施の形態であれば、強い可視光が使用者に向けて照射されない。例えば、使用者が照射部１９の正面を見た際の眩しさが低減される。また、人の目に入射する可視光の量が少なくなる。本実施の形態によれば、実施の形態１と同様に、使い勝手のよい除湿機１００が得られる。なお、本実施の形態の図１５に示すフローチャートの処理は、実施の形態１と同様に、第１モードの処理または第２モードの処理と並行して実行されてもよい。
【０１２０】
実施の形態３．
次に、実施の形態３について説明する。実施の形態３の除湿機１０１の基本的な構成は、実施の形態１および実施の形態２の除湿機１００と同様である。除湿機１０１について、実施の形態１および実施の形態２の除湿機１００と同様の構成および動作の説明を省略する。
【０１２１】
図１６は、実施の形態３の除湿機１０１の斜視図である。また、図１７は、実施の形態３の制御装置２３の機能を示すブロック図である。本実施の形態の除湿機１０１は、発音装置の一例であるブザー２２を備える。ブザー２２は、例えば、筐体１の上面に設けられる。なお、ブザー２２の配置は、本実施の形態に限定されるものではない。また、発音装置の一例であるブザー２２は、図１７に示すように、除湿機１０１の制御装置２３に電気的に接続される。ブザー２２は、例えば、制御装置２３の動作制御部２０ａによって制御される。なお、本実施の形態の制御装置２３の機能は、実施の形態１の制御装置２０と同様に、処理回路によって実現される。
【０１２２】
図１８は、実施の形態３の照射部の制御を示すフローチャートである。図１８のフローチャートにおけるステップＳ５０１からステップＳ５０５は、実施の形態１の図１２のフローチャートにおけるステップＳ１０１からステップＳ１０５と同様である。ステップＳ５０１からステップＳ５０５までの説明を、省略する。
【０１２３】
本実施の形態では、ステップＳ５０５で照射部１９による可視光の照射が停止すると、上記のブザー２２が音を発する。ブザー２２は、当該ブザー２２に電気的に接続された制御装置２３によって動作させられる。除湿機１０１は、当該除湿機１０１が備えるブザー２２により、使用者が可視光を直視してしまう可能性を当該使用者へ報知することができる。本実施の形態であれば、使用者が強い可視光を直視してしまう可能性が、より少なくなる。本実施の形態によれば、使用者にとってより使い勝手がよい除湿機１０１が得られる。なお、除湿機１０１が備える発音装置は、音を発することができればよく、ブザー２２に限定されるものではない。
【産業上の利用可能性】
【０１２４】
本発明に係る除湿機は、例えば、任意の対象物を乾燥させるために利用される。
【符号の説明】
【０１２５】
１  筐体、  ２  車輪、  ３  吸込口、  ４  吹出口、  ５  風路、  ６  ファンモータ、  ６ａ  送風ファン、  ７  除湿部、  ８  貯水部、  ９  フィルター、  １０  風向変更部、１１  上下方向ルーバー、  １１ａ  軸、  １２  第１モータ、  １２ａ  歯車、  １２ｂ  歯車、  １２ｃ  歯車、  １３  左右方向ルーバー、  １４  第２モータ、  １５  リンク、  １６  センサ部、  １７  センサケース、  １７ａ  センサ窓、  １８  表面温度検出部、  １９  照射部、  １９ａ  光源、  １９ｂ  レンズ、  ２０  制御装置、  ２０ａ  動作制御部、  ２０ｂ  記憶部、  ２０ｃ  温度判定部、  ２０ｄ  設定部、  ２０ｅ  照射制御部、  ２１  操作部、  ２１ａ  運転ボタン、  ２１ｂ  モード選択ボタン、  ２１ｃ  設定ボタン、  ２１ｄ  操作キー、  ２２  ブザー、  ２３  制御装置、  ３０  照射領域、  ３１  衣服、  １００  除湿機、  １０１  除湿機、  ２００  専用ハードウェア、  ２０１  プロセッサ、  ２０２  メモリ
【図１】
0006696619.tif 000002
【図２】
0006696619.tif 000003
【図３】
0006696619.tif 000004
【図４】
0006696619.tif 000005
【図５】
0006696619.tif 000006
【図６】
0006696619.tif 000007
【図７】
0006696619.tif 000008
【図８】
0006696619.tif 000009
【図９】
0006696619.tif 000010
【図１０】
0006696619.tif 000011
【図１１】
0006696619.tif 000012
【図１２】
0006696619.tif 000013
【図１３】
0006696619.tif 000014
【図１４】
0006696619.tif 000015
【図１５】
0006696619.tif 000016
【図１６】
0006696619.tif 000017
【図１７】
0006696619.tif 000018
【図１８】
0006696619.tif 000019